(57)【要約】【課題】送受信体の不正使用を困難なものとすることを課題とする。【解決手段】ＩＣカードは、操作状態の組み合わせにより、回路の状態を通信可能状態と通信不能状態との間で切り替えるスイッチ群（ボタン）を備える。回路は、ボタンの操作により通信可能となった状態で外部からの電波を受信することにより起電力を発生させると共に、予め設定された周波数により外部に情報を発信するアンテナを形成する。回路を通信可能状態とすることができるボタンの組み合わせをＩＣカードの使用者のみに知らせておくことにより、ＩＣカードの不正使用を困難なものとすることができる。スイッチ群には、ダミーとなるボタンを含めておくことができる。【選択図】図１
2012073955.tif 000002
【特許請求の範囲】
【請求項１】
通信可能状態と通信不能状態とを切り替え可能であり、通信可能となった状態で外部からの電波を受信することにより起電力を発生させると共に、予め設定された周波数により外部に情報を発信するアンテナを形成する回路と、
操作状態の組み合わせにより、前記回路の状態を通信可能状態と通信不能状態との間で切り替えるスイッチ群と、
を備えた送受信体。
【請求項２】
前記回路は、
前記スイッチ群に含まれるいずれかのスイッチが操作されて導通状態となることにより前記予め設定された周波数による発信が可能となる主回路と、
導通状態となることにより、前記主回路を短絡状態として前記予め設定された周波数による発信を妨げる副回路とを含む請求項１記載の送受信体。
【請求項３】
前記スイッチ群は、
操作されることにより前記回路を通信可能状態とする第１スイッチ群と、
操作されることにより前記回路を通信不能状態とし、又は、前記回路の通信状態に影響を与えることがない第２スイッチ群と、
を含む請求項１又は２記載の送受信体。
【請求項４】
複数のスイッチを操作することにより予め設定された周波数により外部に情報を発信する回路を少なくとも一つ備えた送受信体と、
前記送受信体と無線通信を行う送受信機と、
前記送受信機が受信した前記送受信体からの発信のパターンを予め定められた認証パターンと比較して、認証の可否を決定する制御部と、
を、備えた認証システム。
【発明の詳細な説明】
【技術分野】
【０００１】
本発明は、送受信体及び認証システムに関する。
【背景技術】
【０００２】
近年、あらゆる場面でＩＣ（Integrated Circuit）カードが用いられている。ＩＣカードの中には、メモリＩＣを搭載し、通信用のアンテナ回路を備えた非接触式ＩＣカードと称されるものがある。このような非接触式ＩＣカードには、例えば、ＲＦＩＤ（Radio Frequency IDentification）タグが含まれる。非接触式ＩＣタグは、その起動電力に着目すると、アクティブ型とパッシブ型とに分類される。アクティブ型のＩＣカードは、電池を内蔵しており、この電池により起動する。そしてリーダライタからの要求に応じてメモリ内の情報を発信する。一方、パッシブ型のＩＣカードは、カード内部に電池を持たず、リーダライタから電波を受信することにより内蔵した回路に起電力が生じる。これにより、メモリ内の情報を発信する。
【０００３】
このように、パッシブ型のＩＣカードは、内蔵電池が不要であるため、薄型にすることができ、また、軽量である。ところが、パッシブ型の場合、ユーザが通信を目的としないリーダライタとの間で情報の送受信が行われてしまうおそれがある。このような問題に対し、目的のリーダライタにだけ情報を発信できるように、コイルアンテナに手動で接続と切断を切り替え可能なアンテナスイッチを設けたパッシブ型のＲＦＩＤタグが知られている（例えば、特許文献１、２）。このＲＥＩＤタグは、ユーザが目的とするリーダライタの近くでのみアンテナスイッチを入れることにより、目的としないリーダライタとの送受信を回避することができる。
【先行技術文献】
【特許文献】
【０００４】
【特許文献１】特開２００７−４１８１７号公報
【特許文献２】特開２００６−２１６０８３号公報
【発明の概要】
【発明が解決しようとする課題】
【０００５】
前記特許文献１、２で開示されたＩＣカード（ＲＦＩＤタグ）は、例えば、いわゆるスキミングに対する措置として一定の効果を期待できるものであった。しかしながら、例えば、ＩＣカードの本来の所有者がそのＩＣカードを紛失し、第三者が拾得したり、ＩＣカードを盗難されてしまったりした場合に、取得者が容易にアンテナスイッチを操作して送受信してしまうおそれがある。すなわち、不正使用の防止、セキュリティーの面でさらなる改善の余地を残していた。
【０００６】
そこで、本明細書開示の送受信体及び認証システムは、送受信体の不正使用を困難なものとすることで、セキュリティー性を向上させることを課題とする。
【課題を解決するための手段】
【０００７】
本明細書開示の送受信体は、通信可能状態と通信不能状態とを切り替え可能であり、通信可能となった状態で外部からの電波を受信することにより起電力を発生させると共に、予め設定された周波数により外部に情報を発信するアンテナを形成する回路と、操作状態の組み合わせにより、前記回路の状態を通信可能状態と通信不能状態との間で切り替えるスイッチ群と、を備えている。
【０００８】
通信可能とするためのスイッチ操作の組み合わせを送受信体の正規の所有者等、正当な使用者のみが知っている状態としておくことにより、正当な使用者の意思に反する、送受信体の不正使用を困難なものとすることができる。
【０００９】
また、本明細書開示の認証システムは、複数のスイッチを操作することにより予め設定された周波数により外部に情報を発信する回路を少なくとも一つ備えた送受信体と、前記送受信体と無線通信を行う送受信機と、前記送受信機が受信した前記送受信体からの発信のパターンを予め定められた認証パターンと比較して、認証の可否を決定する制御部と、を備えている。
【００１０】
認証可能な送受信体からのパターン（認証パターン）を予め設定しておき、この認証パターンを送受信体の正規の所有者等、正当な使用者のみに知らせておけば、他者がその送受信体を使用した場合に容易に認証がされない。これにより、正当な使用者の意思に反する、送受信体の不正使用を困難なものとすることができる。
【発明の効果】
【００１１】
本明細書開示の送受信体によれば、送受信体の不正使用を困難なものとすることができる。また、本明細書開示の認証システムによれば、送受信体の不正使用を困難なものとすることができる。
【図面の簡単な説明】
【００１２】
【図１】図１（ａ）、（ｂ）は、本発明の一実施形態によるＩＣカードの一例を模式的に示した説明図である。
【図２】図２（ａ）、（ｂ）は、本発明の一実施形態による第１スイッチ群に含むことができるボタンの一例を示す説明図である。
【図３】図３は、副回路の一例を示す説明図である。
【図４】図４（ａ）、（ｂ）は、第１スイッチ群に含むことができるボタンの一例を示す説明図である。
【図５】図５（ａ）、（ｂ）は、第２スイッチ群に含むことができるボタンの一例を示す説明図である。
【図６】図６（ａ）、（ｂ）は、第２スイッチ群に含むことができるボタンの一例を示す説明図である。
【図７】図７（ａ）、（ｂ）は、第２スイッチ群に含むことができるボタンの一例を示す説明図である。
【図８】図８（ａ）、（ｂ）は、ボタンの内部構造の一例を示す断面図である。
【図９】図９（ａ）、（ｂ）は、ボタンの内部構造の他の例を示す断面図である。
【図１０】図１０（ａ）、（ｂ）は、他のボタンの例を示す断面図である。
【図１１】図１１（ａ）、（ｂ）は、他のボタンの例を示す断面図である。
【図１２】図１２は、ＩＣカードの一例の断面図である。
【図１３】図１３は、実施例２における認証システムのブロック図の一例である。
【図１４】図１４（ａ）、（ｂ）は、実施例２におけるＩＣカードに含まれる複数の回路の説明図である。
【図１５】図１５は、認証システムにおける認証パターンの一例を示す説明図である。
【発明を実施するための形態】
【００１３】
以下、本発明の実施形態について、添付図面を参照しつつ説明する。ただし、図面中、各部の寸法、比率等は、実際のものと完全に一致するようには図示されていない場合がある。また、図面によっては細部が省略されて描かれている場合もある。
【実施例１】
【００１４】
実施例１におけるＩＣカード１の概略構成について図面を参照しつつ説明する。図１（ａ）、（ｂ）は、送受信体の一例であるＩＣカード１の一例を模式的に示した説明図である。図２（ａ）、（ｂ）は、第１スイッチ群に含むことができるボタン６の一例を示す説明図である。図３は、副回路５の一例を示す説明図である。図４（ａ）、（ｂ）は、第１スイッチ群に含むことができるボタン８の一例を示す説明図である。図５（ａ）、（ｂ）は、第２スイッチ群に含むことができるボタン９の一例を示す説明図である。図６（ａ）、（ｂ）は、第２スイッチ群に含むことができるボタン１０の一例を示す説明図である。また、図７（ａ）、（ｂ）は、第２スイッチ群に含むことができるボタン１１の一例を示す説明図である。
【００１５】
送受信体の一例であるＩＣカード１は、図１（ａ）、（ｂ）に示すようにカード本体１ａ内に基板２を備えている。基板２には、ＩＣチップ３を含む回路（主回路）４が設けられている。主回路４は、複数箇所（三か所）で切断されている。この切断箇所に合わせて第１スイッチ群に含まれるスイッチ、すなわち、ボタン６、ボタン７が設けられている。第１スイッチ群に含まれるスイッチ（ボタン）は、操作されることにより主回路を通信可能状態とするものである。主回路４は、スイッチ群に含まれるいずれかのスイッチが操作されて導通状態となることにより予め設定された周波数による発信が可能となる回路である。本実施例における主回路４は、この三か所の切断箇所が接続状態となることにより、通信可能状態となる。一方、三か所のいずれかが切断状態のままであるときは、通信不能状態となる。すなわち、主回路４は、通信可能状態と通信不能状態とを切り替え可能である。主回路４は、通信可能となった状態で外部からの電波を受信することにより起電力を発生させる。そして、ボタン６、７が操作されて導通状態となることにより、予め設定された周波数により外部に情報を発信するアンテナを形成する。なお、送受信体はカード形状に限定されるものではなく、他の形状であってもよい。
【００１６】
図２（ａ）、（ｂ）に示すように、ボタン６は、導通部６ａを備えている、ボタン６は、通常時、すなわち、押圧されていない状態で、図２（ａ）に示すように、主回路４から離れた状態となっている。そして、使用者がボタン６を押圧することにより、図２（ｂ）に示すように主回路４を接続状態とすることができる。ボタン７は、ＩＣチップ３を備えている点で、ボタン６と異なるが、他の構成はボタン６と共通する。図１（ｂ）に示すように二つのボタン６とボタン７が押圧された状態となると、主回路４は、切断された三か所が全て接続状態となることにより、通信可能状態となる。
【００１７】
ＩＣカード１は、上記のように主回路４を備えている。この主回路４は、ボタン６等のスイッチが操作（押圧）されることにより、導通状態となり、予め設定された周波数による発信が可能となる。ＩＣカード１は、このような主回路４と組み合わせられる副回路５を備えることができる。副回路５は、導通状態となることにより、主回路４を短絡状態として予め設定された周波数による発信を妨げる回路である。副回路５は、例えば、図３に示すようにボタン８が操作（押圧）されると、切断状態とされる。これにより、主回路４は、設定された周波数による発信が可能な状態となることができる。このようなボタン８は、操作（押圧）されることにより主回路４を通信可能状態とすることがスイッチであるので、第１スイッチ群に属する。副回路５は、スイッチが操作され、接続状態とされることにより、主回路４を設定された周波数による発信が不能な状態とすることもできる。
【００１８】
ＩＣチップ１は、ボタン６やボタン７のような複数のボタンを含むスイッチ群を備えている。ここで、このスイッチ群について、詳細に説明する。スイッチ群は、その機能により第１スイッチ群と、第２スイッチ群との分類することができる。第１スイッチ群は、操作されることにより主回路４を通信可能状態とすることができる。一方、第２スイッチ群は、操作されることにより主回路４を通信不能状態とするスイッチを含む。また、第２スイッチ群は、主回路４または副回路５に配置され、操作されても主回路４の通信状態に影響を与えることがないダミースイッチを含む。第２スイッチ群に含まれるスイッチは、ＩＣカード１が正常な通信をすることを阻害するものである。
【００１９】
図２（ａ）、（ｂ）に示すボタン６は、第１スイッチ群に含まれる。ボタン６は、上述のように主回路４が切断された箇所に設けられる。ボタン６は、導通部６ａを備えており、操作（押圧）されることにより当該箇所において主回路４を導通状態とすることができる。ボタン６は、主回路４を導通状態とすることにより、主回路４を予め設定された周波数による通信可能状態とする。
【００２０】
図４（ａ）、（ｂ）に示すボタン８は、第１スイッチ群に含まれる。ボタン８は、副回路５が切断された箇所に設けられる。ボタン８は、導通部８ａを備えており、操作されない通常時には、図４（ａ）に示すように副回路５を導通状態としている。そして、操作（押圧）されることにより、図４（ｂ）に示すように副回路５を切断状態とすることができる。ボタン８は、副回路５を切断状態とすることにより、主回路４を予め設定された周波数による通信可能状態とする。
【００２１】
図５（ａ）、（ｂ）に示すボタン９は、第２スイッチ群に含まれる。ボタン９は、主回路４が切断された箇所に設けられる。ボタン９は、導通部９ａを備えており、操作されない通常時には、図５（ａ）に示すように主回路４を当該箇所において導通状態としている。そして、操作（押圧）されることにより、図５（ｂ）に示すように主回路４を切断状態とすることができる。ボタン９は、主回路４を切断状態とすることにより、主回路４を予め設定した周波数による通信不能状態とする。
【００２２】
図６（ａ）、（ｂ）に示すボタン１０は、第２スイッチ群に含まれる。ボタン１０は、副回路５が切断された箇所に設けられる。ボタン１０は、導通部１０ａを備えており、操作されていない通常時には、図６（ａ）に示すように副回路５を当該箇所において切断状態としている。そして、操作（押圧）されることにより、図（６）に示すように副回路５を導通状態とすることができる。ボタン１０は、副回路５を導通状態とすることにより、主回路４を予め設定した周波数による通信不能状態とする。
【００２３】
図７（ａ）、（ｂ）に示すボタン１１は、第２スイッチ群に含まれる。ボタン１１は、主回路４が接続状態にある箇所に設けられている。ボタン１１は、導通部１１ａを備えている。ただし、ボタン１１は、回路の状態には影響を与えない。すなわち、ボタン１１は、主回路４の発信状態に何ら影響を与えないダミースイッチとして機能する。このため、導通部１１ａは省略してもよい。また、ボタン１１は、主回路４の発信状態に影響を与えるものではないため、副回路５上に設けるようにしてもよい。
【００２４】
ＩＣカード１は、第１スイッチ群に含まれるボタンを少なくとも一つ備えると共に、第１スイッチ群に含まれるボタン、第２スイッチ群に含まれるボタンの中から適宜選択されたボタンを備えることができる。ＩＣカード１は、一枚一枚異なる組み合わせのボタンを備えることができる。ＩＣカード１が備える主回路４は、ボタンの操作状態の組み合わせにより通信可能状態と通信不能状態を切り替えることができる。第１スイッチ群に含まれるボタンは、複数設けられた形態であってもよい。なお、第１スイッチ群に含まれるボタンが複数個ある場合は、第２スイッチ群に含まれるボタンは、省略することができる。
【００２５】
つぎに、押圧することによって主回路４を接続状態とするボタン６の構造の例について図８を参照しつつ説明する。まず、ＩＣカード１は、表装となるケース状のカード本体１ａを備えている。カード本体１ａは、ボタン６を外側から押し込むことができるように、弾力性を有する樹脂により成形されている。カード本体１ａの表面は、ボタンの配置が外側から分からないようにするために、平滑面とされている。すなわち、ボタンの位置が窪んでいたり、盛り上がっていたりすると、ボタンの位置を悟られてしまう。このため、ボタンの位置が容易に悟られることがないように、カード本体１ａの表面は平滑状態とされている。
【００２６】
ボタン６と基板２との間には、弾性部材の一例である球部材１２が配置されている。球部材１２は、基板２に設けられた皿状の窪み、ボタン６に設けられた皿状の窪みに安定的に設置されている。具体的には、球部材１２は、ボタン６と基板２との間に挟持されている。球部材１２の脱落をより確実に防止するために、接着剤を塗布して球部材１２をボタン６と基板２との間に装着するようにしてもよい。球部材１２は、ボタン６を図８（ｂ）に示す押圧状態から図８（ａ）に示す元の位置に復帰させることができる弾力性を備える。また、球部材１２は、ＩＣカード製造時の熱負荷に耐え得る耐熱性を備えている。本実施例の球部材１２は、シリコンゴムで形成されているが、上述の様な性質を備えた他の材料を用いて形成することもできる。押圧することによって副回路５を接続状態とすることができるボタン、例えば、図６に示すボタン１０もボタン６と同様の構成とすることができる。また、ボタン６や、ボタン１０は、図９に示すような構成とすることもできる。すなわち、弾性部材の一例として、球部材１２に代えて、バネ部材１３を備えた構成とすることもできる。
【００２７】
つぎに、押圧することによって主回路４を切断状態とするボタン９の構造の例について図１０を参照しつつ説明する。ボタン９は、操作（押圧）されることにより主回路４を切断状態とするため第２スイッチ群に属する。まず、ＩＣカード１は、表装となるケース状のカード本体１ａを備えている。カード本体１ａは、ボタン９を外側から押し込むことができるように、弾力性を有する樹脂により成形されている。カード本体１ａの表面は、ボタンの配置が外側から分からないようにするために、平滑面とされている。すなわち、ボタンの位置が窪んでいたり、盛り上がっていたりすると、ボタンの位置を悟られてしまう。このため、ボタンの位置が容易に悟られることがないように、カード本体１ａの表面は平滑状態とされている。
【００２８】
ボタン９とカード本体１ａとの間には、弾性部材の一例である球部材１２が配置されている。球部材１２は、カード本体１ａに設けられた皿状の窪み及びボタン９に設けられた皿状の窪みに安定的に設置されている。球部材１２は、ボタン９を図１０（ｂ）に示す押圧状態から図１０（ａ）に示す元の位置に復帰させることができる弾力性を備える。また、球部材１２は、ＩＣカード製造時の熱負荷に耐え得る耐熱性を備えている。本実施例の球部材１２は、シリコンで形成されているが、上述の様な性質を備えた他の材料を用いて形成することもできる。押圧することによって副回路５を切断状態とすることができるボタン、例えば、図４に示すボタン８もボタン９と同様の構成とすることができる。また、ボタン８や、ボタン９は、図１１に示すような構成とすることもできる。すなわち、弾性部材の一例として、球部材１２に代えて、バネ部材１４を備えた構成とすることもできる。
【００２９】
つぎに、ＩＣカード１の内部構造の一例について、図８および図１２を参照しつつ説明する。ＩＣカード１は、カード本体１ａの内部に、Polyethylene terephthalate（ＰＥＴ）製の支柱１ａ１を備えており、カード本体１ａの内部に空間が形成されている。カード本体１ａの内部には、基板（フレキシブル基板）２が設けられている。基板２には、主回路４及び副回路５が設けられている。カード本体１ａや支柱１ａ１は、ＩＣカード製造時に熱負荷がかかることがあるので、製造に耐え得る耐熱性を備えている。
【００３０】
ＩＣカード１は、仕切板１ａ２を備えている。仕切板１ａ２を備えることにより、カード本体１ａは、表面側と裏面側の二層に分割されている。ＩＣカード１は、スイッチ群を形成するボタンＢ１〜Ｂ８を備えている。ボタンＢ１〜Ｂ４は、いずれも第１スイッチ群に属するボタンであり、Ｂ１、Ｂ２、Ｂ４は、図２で示したボタン６である。また、Ｂ３は、ＩＣチップ３を備えたボタン７である。ボタンＢ５〜Ｂ８は、いずれも第２スイッチ群に属するボタンであり、図６で示したボタン１０である。副回路５は、４系統設けられている。この４系統の副回路５は、いずれも単独で主回路４を短絡状態とすることができる。ボタンＢ５〜Ｂ８は、一の副回路５に一つずつ設けられている。ボタンＢ１〜ボタンＢ４は、同時に押圧されることにより、主回路４を全周に亘って接続状態とする。主回路４は、全周に亘って接続状態となることにより、予め設定された周波数による通信が可能な状態となる。一方、ボタンＢ５〜Ｂ８のいずれかが押圧されると、主回路４が短絡状態となり、予め設定された周波数により通信が不能状態となる。
【００３１】
以上のようなＩＣカード１が正常に通信を行うためには、ボタンＢ１〜ボタン４を同時に押圧することが必要である。ボタンＢ１〜ボタンＢ４のうち、一つでも押圧されていないボタンが存在するときは、ＩＣカード１は、通信不能である。また、仮にボタンＢ１〜Ｂ４が押圧された場合であっても、ボタンＢ５〜Ｂ８のいずれか一つでも押圧されると主回路４が短絡状態となりＩＣカード１は、通信が不能となる。このボタンＢ１〜Ｂ８の組み合わせは、ＩＣカード１の正当な使用者のみに知らせておく。
【００３２】
そもそも正当な使用者以外の者は、ボタンを押圧しなければ通信できないことを知らないことが多い。また、ボタンＢ１〜Ｂ８は、ＩＣカード１の表面からはどこの位置しているのか把握することも困難である。この結果、ＩＣカード１の正当な使用者以外の者がＩＣカード１を用いて通信を行うことは非常に困難である。このように、ＩＣカード１の不正使用は困難である。
【００３３】
一方、ＩＣカード１の正当な使用者は、目的とするリーダライタ（送受信機）にＩＣカード１をかざしながら、ボタンＢ１〜Ｂ４を押圧する。正当な使用者は、主回路４を通信可能な状態とするためのボタンの組み合わせを承知している。また、ボタンＢ１〜Ｂ４の配置も承知している。このため、容易に通信を行うことができる。
【００３４】
なお、ＩＣカード１は、第１スイッチ群に含まれるボタンを少なくとも一つ備えていれば、ＩＣカード１が備えるボタンの数や、種類、配置は、任意である。例えば、主回路４は、切断部を有さず、副回路５を切断するボタン８のみを複数設けることもできる。
【実施例２】
【００３５】
つぎに、実施例２の認証システム１００について、図１３乃至図１５を参照しつつ説明する。図１３は、実施例２における認証システム１００のブロック図の一例である。図１４（ａ）、（ｂ）は、実施例２における認証システム１００に含まれるＩＣカード１１２に含まれる複数の回路１０４ａ、１０４ｂ、１０４ｃの説明図である。図１５は、認証システム１００における認証パターンの一例を示す説明図である。
【００３６】
認証システム１００は、送受信体の一例であるＩＣカード１１２を備えている。認証システム１００は、ＩＣカード１１２と無線通信を行う送受信機の一例であるリーダライタ（アンテナ）１１１と接続された制御部の一例であるパーソナルコンピュータ（ＰＣ）１１０を備えている。
【００３７】
ＩＣカード１１２は、個別の識別情報を有しているおり、また、図１４（ａ）に示すように３つの回路１１４ａ、１１４ｂ、１１４ｃを備えている。回路１１４ａ、１１４ｂ、１１４ｃは、それぞれ、実施例１における回路（主回路）４と共通している。ただし、それぞれ設定された周波数が異なる。回路１１４ａ、１１４ｂ、１１４ｃは、図１４（ｂ）に示すように重ねた状態で配置される。回路１１４ａは、ボタン１１６ａ、１１７ａを備えている。ボタン１１７ａには、ＩＣチップ１１３ａが搭載されている。回路１１４ｂは、ボタン１１６ｂ、１１７ｂを備えている。ボタン１１７ｂには、ＩＣチップ１１３ｂが搭載されている。回路１１４ｃは、ボタン１１６ｃ、１１７ｃを備えている。ボタン１１７ｃには、ＩＣチップ１１３ｃが搭載されている。
【００３８】
実施例における回路１１４ａ、１１４ｂ、１１４ｃは、いずれも、実施例１における第１スイッチ群に属するボタンを備えているが、副回路５に相当する回路を備えたり、第２スイッチ群に含まれるボタンを備えたりするようにしてもよい。
【００３９】
本実施例では、３つの回路１１４ａ〜１１４ｃを備えているが、このような回路は少なくとも一つ設けられていればよい。また、実施例１の場合と異なり、各回路は、少なくとも一つのスイッチ（ボタン）を操作することにより予め設定された周波数及び／又はメモリに格納されている識別番号等により外部に情報を発信することができればよい。なお、送受信体はカード形状に限定されるものではなく、他の形状であってもよい。この点は、実施例１の場合と同様である。
【００４０】
ＰＣ１１０は、ＩＣカード１１２に個別に割り振られた識別情報と併せてそのＩＣカード１１２を認証するための認証パターンを設定する。また、ＰＣ１１０は、識別情報と認証パターンとの比較を行い、その結果に基づいてＩＣカード１１２の認証の可否を決定する。なお、認証パターンの設定と認証パターンの比較は、それぞれ別個の装置を用いて行ってもよい。
【００４１】
認証パターンに含まれる要素は、例えば、回路１０４ａ〜１０４ｃの接続の順番、接続の間隔、接続されている時間、接続の回数等である。これらを任意に組み合わせることができる。接続の間隔や接続の回数のみを認証パターンの要素とすることもできる。この場合、回路は、一つであってもよい。また、同一の回路の発信を複数回含めた認証パターンとしてもよい。接続されている時間や、接続の間隔は、ある時間よりも短いことを条件としてもよいし、ある時間よりも長いことを条件にしてもよい。
【００４２】
図１５に、認証パターンの一例を示す。まず、回路１１４ａのボタン１１６ａ、１１７ａを同時に押圧して、回路１１４ａによる発信を行う。回路１１４ａによる発信は、ｔ１秒以上継続するものとする。その後、回路１１４ａの発信を解除する。そして、ｔ２秒以内に、回路１１４ｂのボタン１１６ｂ、１１７ｂを同時に押圧して回路１１４ｂによる発信を行う。回路１１４ｂによる発信は、ｔ３秒以上継続するものとする。その後、回路１１４ｂの発信を解除する。そして、ｔ４秒以内に、回路１１４ｃのボタン１１６ｃ、１１７ｃを同時に押圧して回路１１４ｃによる発信を行う。回路１１４ｃによる発信は、ｔ５秒以上継続するものとする。ＰＣ１１０は、これらのパターンが滞りなく再現されたときに、認証を行う。
【００４３】
ＩＣカード１１２の使用者は、リーダライタ１１１にＩＣカード１１２をかざしてボタンを操作する。ＰＣ１１０は、そのＩＣカードに割り振られた個別の識別情報を読み取ると共に、予め設定された認証パターンが再現されているか否かの判断を行う。認証パターンが再現されれば、認証する。なお、ＰＣ１１０は、ネットワークに組み込むことができる。
【００４４】
このように、変更可能な認証パターンを登録しておくことにより、不正使用を困難なものとすることができる。ＩＣカード１１２が周波数及び／又はメモリに格納されている識別番号等の異なる複数の回路を備え、さらに、接続の時間、接続の間隔等を含めることにより、認証パターンを構築する組み合わせは、飛躍的に増大する。これにより、不正使用に有効に対処することができる。
【００４５】
以上本発明の好ましい実施例について詳述したが、本発明は係る特定の実施例に限定されるものではなく、特許請求の範囲に記載された本発明の要旨の範囲内において、種々の変形、変更が可能である。
【００４６】
（付記）
（付記１）
通信可能状態と通信不能状態とを切り替え可能であり、通信可能となった状態で外部からの電波を受信することにより起電力を発生させると共に、予め設定された周波数により外部に情報を発信するアンテナを形成する回路と、
操作状態の組み合わせにより、前記回路の状態を通信可能状態と通信不能状態との間で切り替えるスイッチ群と、
を備えた送受信体。
【００４７】
（付記２）
前記回路は、
前記スイッチ群に含まれるいずれかのスイッチが操作されて導通状態となることにより前記予め設定された周波数による発信が可能となる主回路と、
導通状態となることにより、前記主回路を短絡状態として前記予め設定された周波数による発信を妨げる副回路とを含む付記１記載の送受信体。
【００４８】
（付記３）
前記スイッチ群は、
操作されることにより前記回路を通信可能状態とする第１スイッチ群と、
操作されることにより前記回路を通信不能状態とし、又は、前記回路の通信状態に影響を与えることがない第２スイッチ群と、
を含む付記１又は２記載の送受信体。
【００４９】
（付記４）
少なくとも一つのスイッチを操作することにより予め設定された周波数により外部に情報を発信する回路を少なくとも一つ備えた送受信体と、
前記送受信体と無線通信を行う送受信機と、
前記送受信が受信した前記送受信体からの発信のパターンを予め定められた認証パターンと比較して、認証の可否を決定する制御部と、
を、備えた認証システム。
【００５０】
（付記５）
通信可能状態と通信不能状態とを切り替え可能であり、通信可能となった状態で外部からの電波を受信することにより起電力を発生させると共に、予め設定された周波数により外部に情報を発信するアンテナを形成する回路と、
操作状態の組み合わせにより、前記回路の状態を通信可能状態と通信不能状態との間で切り替えるスイッチ群と、を備えた送受信体と、
前記送受信体と無線通信を行う送受信機と、
前記送受信が受信した前記送受信体からの発信のパターンを予め定められた認証パターンと比較して、認証の可否を決定する制御部と、
を、備えた認証システム。
【符号の説明】
【００５１】
１、１１２…ＩＣカード（送受信体）
１ａ…カード本体
１ａ１…支柱
１ａ２…仕切板
２…基板
３…ＩＣチップ
４、１１４ａ、１１４ｂ、１１４ｃ…回路（主回路）
５…副回路
６、７、８、９、１０、１１、１１６ａ〜１１６ｃ、１１７ａ〜１１７ｂ…ボタン（スイッチ）
６ａ、８ａ、９ａ、１０ａ、１１ａ…導通部
１２…球部材（弾性部材）
１３、１４…バネ部材（弾性部材）
１００…認証システム
１１０…ＰＣ（制御部）
１１１…アンテナ（送受信機）
【図１】
2012073955.tif 000003
【図２】
2012073955.tif 000004
【図３】
2012073955.tif 000005
【図４】
2012073955.tif 000006
【図５】
2012073955.tif 000007
【図６】
2012073955.tif 000008
【図７】
2012073955.tif 000009
【図８】
2012073955.tif 000010
【図９】
2012073955.tif 000011
【図１０】
2012073955.tif 000012
【図１１】
2012073955.tif 000013
【図１２】
2012073955.tif 000014
【図１３】
2012073955.tif 000015
【図１４】
2012073955.tif 000016
【図１５】
2012073955.tif 000017